(57)【特許請求の範囲】
【請求項１】
複数の側溝形成ブロック体を長尺方向に連設して所定の排水勾配を有する水路を構築する方法であって、
側溝形成ブロック体を構成する側溝ブロックと底板を一体化する工程〔一体化工程〕と、
底板所定部位に設けられた傾斜調整手段により、設置前に予め底板の傾斜を排水勾配に合わせて設定させるための工程〔底板傾斜設定工程〕と、
一体化された側溝形成ブロック体を設置場所に静置する工程〔搬送静置工程〕と、
底板の開口部からセメントミルクを流し込み、底板の下部空隙に充填する工程〔底板下固化工程〕と、
を含むことを特徴とする水路構築方法。
【請求項２】
底部が解放された側溝ブロックに底板を内接支持することにより、側溝ブロックおよび底板を一体化することを特徴とする、請求項１記載の水路構築方法。
【請求項３】
底板は、その支持手段を介して側溝ブロックに対して、上下方向の自由度を有するように支持されることを特徴とする、請求項２記載の水路構築方法。
【請求項４】
隣接する側溝形成ブロック体は、それぞれの側溝ブロックの端面同士を凹凸嵌合させることにより連設されることを特徴とする、請求項１〜３のいずれか１項記載の水路構築方法。
【請求項５】
複数の側溝形成ブロック体を長尺方向に連設して所定の排水勾配を有する水路を構築する方法であって、
側溝形成ブロック体を構成する側溝ブロックと底板を一体化する工程〔一体化工程〕と、
一体化された側溝形成ブロック体を設置場所に静置する工程と同時に、排水勾配に合わせて底板を傾斜させるための工程〔搬送静置同時傾斜設定工程〕と、
底板の開口部からセメントミルクを流し込み、底板の下部空隙に充填する工程〔底板下固化工程〕と、
を含むことを特徴とする水路構築方法。
【請求項６】
側溝形成ブロック体の設置場所の所定位置に傾斜支持手段を設け、この傾斜支持手段によって設置とほぼ同時に底板の傾斜が設定されることを特徴とする、請求項５記載の水路構築方法。
【発明の詳細な説明】
【０００１】
【発明の属する技術分野】
本発明は、水路用側溝を形成する方法に関し、更に詳しくは、側溝形成ブロック体を長尺方向に連結しつつ水路を構築する方法に関するものである。
【０００２】
【従来の技術】
従来から道路に水路用の側溝を設けるためにコンクリートブロックが使用されている。
そして、道路の勾配に応じた適宜の勾配を形成するようにコンクリートブロックが構築される。
水路用の側溝は複数個の水路構築用のコンクリートブロックを長尺方向に連結して所定の水路勾配を構築するものである。
具体的には、水路構築用のコンクリートブロックを基礎コンクリートの上に載置する。
その後、構築後の水路の底面に長尺方向で所定の水路勾配を持たせるために勾配を調整するコンクリートを水路の底部側に打設し、硬化させていた。
【０００３】
コンクリートの打設を効率的に行う施工法として、例えば特開平７−１８９３３１号公報に開示される基礎構築方法が開発されている。
この構築方法は、プレキャスト基礎版とプレキャストインバート版を用い、基礎地盤上に基礎版を敷設するものである。
そして、該基礎版の上にモルタルを盛り付け、モルタルの固化前にこの上にインバート版を排水勾配に合わせて載置して基礎を構成し、その後側溝ブロックをインバート版を跨ぐかたちで配設する。
【０００４】
【発明が解決しようとする課題】
上述したような従来例では、インバート版を載置する前にモルタルを盛り付け、該モルタルが固化する前にその上にインバート版を排水勾配に合わせて載置して基礎を形成する。
この場合、モルタルの上にインバートコンクリート版を敷き軽くたたきながら、排水勾配に合わせて設置するようにしているため、作業に手間がかかり作業時間も多くならざるを得なかった。
【０００５】
更にモルタルの固化前にインバートコンクリート版を載置するのに、その時間的なタイミングが遅れると角度の調整がうまくいかない。
またインバートコンクリート版を跨ぐように側溝ブロックを配設するものであるが、配設する際、両者の嵌め合いが必ずしも正確にいかない。
更に、インバートコンクリート版や側溝ブロックを各々搬送するための煩雑である。
【０００６】
本発明はかかる技術的問題点を背景に開発されたものである。
すなわち、本発明は、上述の問題点を解決し、効率よくしかも的確に、勾配を有する水路を構築するための水路構築方法を提供することを目的とする。
【０００７】
【課題を解決するための手段】
しかして、本発明者等は、このような課題に対して、鋭意研究を重ねて結果、側溝ブロックと底板とを多少の動きの自由度を保証しながら一体的に構成することにより搬送効率が向上する点、及び底板の勾配を調整が容易になる点を見い出し、この知見に基づいて本発明を完成させたものである。
【０００８】
すなわち、本発明は、（１）、複数の側溝形成ブロック体を長尺方向に連設して所定の排水勾配を有する水路を構築する方法であって、側溝形成ブロック体を構成する側溝ブロックと底板を一体化する工程〔一体化工程〕と、底板所定部位に設けられた傾斜調整手段により、設置前に予め底板の傾斜を排水勾配に合わせて設定させるための工程〔底板傾斜設定工程〕と、一体化された側溝形成ブロック体を設置場所に静置する工程〔搬送静置工程〕と、底板の開口部からセメントミルクを流し込み、底板の下部空隙に充填する工程〔底板下固化工程〕と、を含む水路構築方法に存する。
【０００９】
そして、（２）、底部が開放された側溝ブロックに底板を内接支持することにより、側溝ブロックおよび底板が一体化される上記（１）の水路構築方法に存する。
【００１０】
そしてまた、（３）、底板は、その支持手段を介して側溝ブロックに対して上下方向の自由度を有するように支持される上記（２）の水路構築方法に存する。
【００１２】
そしてまた、（４）、隣接する側溝形成ブロック体は、それぞれの側溝ブロックの端面同士を凹凸嵌合させることにより連設される上記（１）〜（３）のいずれか１項記載の水路構築方法に存する。
【００１５】
そしてまた、（５）、複数の側溝形成ブロック体を長尺方向に連設して所定の排水勾配を有する水路を構築する方法であって、側溝形成ブロック体を構成する側溝ブロックと底板を一体化する工程〔一体化工程〕と、一体化された側溝形成ブロック体を設置場所に静置する工程と同時に、排水勾配に合わせて底板を傾斜させるための工程〔搬送静置同時傾斜設定工程〕と、底板の開口部からセメントミルクを流し込み、底板の下部空隙に充填する工程〔底板下固化工程〕と、を含む水路構築方法に存する。
【００１６】
そしてまた、（６）、側溝形成ブロック体の設置場所の所定位置に傾斜支持手段を設け、この傾斜支持手段によって設置とほぼ同時に底板の傾斜が設定される上記（５）記載の水路構築方法に存する。
本発明は、この目的に沿ったものであれば、上記１から６の中から選ばれた２つ以上を組み合わせた構成も採用可能である。
【００１７】
本発明によれば、側溝形成ブロック体を構成する側溝ブロックと底板を一体化し、排水勾配に合わせて底板を傾斜させる。そして、一体化された側溝形成ブロック体を設置場所に静置し、底板の開口部からセメントミルクを流し込み、底板の下部空隙に充填することにより、複数の側溝形成ブロック体を長尺方向に連設して所定の排水勾配を有する水路を構築する。
又は、側溝形成ブロック体を構成する側溝ブロックと底板を一体化する。
そして、一体化された側溝形成ブロック体を設置場所に静置し、排水勾配に合わせて底板を傾斜させ、底板の開口部からセメントミルクを流し込み、底板の下部空隙に充填することにより、複数の側溝形成ブロック体を長尺方向に連設して所定の排水勾配を有する水路を構築する。
このように、側溝ブロックと底板を一体的に構成したことで、側溝形成ブロック体の搬送が容易になり地盤上に極めて簡単且つ容易に設置することができる。側溝ブロックに内接支持される底板の勾配が自由度をもって調整可能になっていることで、簡単且つ的確に排水勾配に合わせて設置することができる。
【００１８】
【発明の実施の形態】
以下、図面に基づき、本発明による水路構築方法の好適な実施の形態を説明する。
【００１９】
本発明の水路構築方法を実施するには、例えば、特有の側溝形成ブロック体、すなわち側溝ブロックと底板を多少の動きの自由度を保証しながら一体的に取り付けた側溝形成ブロック体を使用することから、まず、側溝形成ブロック体の説明を以下行うことにする。
図１は、本発明方法に用いる側溝形成ブロック体における施工後の状態を示している。
図において側溝形成ブロック体１０は、底部が開放された側溝ブロック２０とこれに内接支持される底板３０とよりなる。
また底板３０の勾配は、後述するように、その調整が自由に行えるようになっている。
また、図のように、側溝形成ブロック体１０は、最終的に、例えば、基礎材１、基礎コンクリート２、及びセメントミルク３によって固められる。
【００２０】
本発明方法は、複数の側溝形成ブロック体１０を長尺方向に順次、連設していき所定の排水勾配を有する水路を構築するものであるが、基本的には、
１．側溝形成ブロック体１０を構成する側溝ブロック２０と底板３０とを一体化する工程と、
２．排水勾配に合わせて底板３０を傾斜させるための工程と、
３．一体化された側溝形成ブロック体１０を設置場所に静置する工程と、
４．底板３０の開口部からセメントミルク３を流し込み、底板３０の下部空隙に充填する工程と、
を順不同で含んでいる。
【００２１】
ここで図２および図３は、側溝形成ブロック体１０の一方の構成要素である側溝ブロック２０を示したものである。
図示のように側溝ブロック２０は、概略的に門型を呈しており、その底部は開放されている。
側溝ブロック２０の側壁には、複数の長溝２１が貫通形成されており、底板３０を支持するための支持ボルト３２がその長溝２１を挿通することができる。
この例では図２に示されるように各側壁において下部付近にて２つずつ、合計４つの長溝２１が形成されている。
この長溝２１に支持ボルト３２を通すことにより側溝ブロック２０と底板３０とが一体的に取り付けられた場合、側溝ブロックと底板との間には、一定の（多少の）上下方向の動きの自由度が保証される。
【００２２】
また、側溝ブロック２０の一方の端面には他の側溝ブロックの凹部に嵌合する凸部２２が形成され、また他方の端面にはさらに他の側溝ブロックの凸部に嵌合する凹部２３が形成されている。
この凹凸嵌合構造を採用することにより複数の側溝ブロックを位置ずれなく、正確に連設することができる。
なお、側溝ブロック２０の上部には蓋板を嵌め込むための蓋穴２４が形成されている。
【００２３】
図４は、側溝形成ブロック体１０の他方の構成要素である底板３０を示している。
（Ａ）は平面図、（Ｂ）は側面図、（Ｃ）は底面図、（Ｄ）は断面図である。
底板３０の中央部には、後述するように、（据え付け後）、セメントミルク３を流し込むために貫通形成された開口部３１が形成されている。
【００２４】
底板３０は、図５に示したように上面が凹状に湾曲形成されており、その中央凹所に前記開口部３１を有する。
この凹状に湾曲形成されたことによりゴミ類が下流へ流され易くなる。
底板３０の側面には図５（Ａ）に拡大して示すように、支持ボルト３２が螺着するためのインサート状のねじ部３３が形成されている。
この例では各側面に２つずつ、合計４つのねじ部３３を有する。
なお、図５（Ｂ）に拡大して示すように、支持ボルト３２は、ネジ込みではなくて挿入するだけとし、底板３０にはインサート状の無ねじ部３３とすることも可能である。
【００２５】
一方、底板３０の端部付近の裏面には図４（Ｃ）に示されるように、支え調整ボルト３４（図１参照）が螺着するためのねじ部３５が形成されている。
この例では底板３０の端部付近に合計４つのねじ部３５を有する場合を示している。
このねじ部３５は、例えば図６のように底板３０の所定部位にインサート成形により配設されている。
支え調整ボルト３４はねじ部３５に対するねじ込み量を適宜設定することで、底板３０の裏面からの突出長さが調整可能である。
すなわち、支え調整ボルト３４の突出長さの調整により、底板３０の勾配が容易に調整可能となる。
【００２６】
〔水路構築方法１〕
側溝形成ブロック体１０は、上述したような構成を有するものであるが、次に、これを使って水路を構築する方法を述べる。
（一体化工程）
地盤に掘削された溝条の中に側溝形成ブロック体１０を設置する場合は、まず側溝ブロック２０と底板３０が設置場所とは別の作業場所で一体的に取り付けられる。
具体的には、図７に示すように底板３０を作業場所に置いておき、ワイヤＷ等で垂架された側溝ブロック２０を底板３０の上方に位置させる。
そして側溝ブロック２０をやや下げて底板３０を内接した状態で、側溝ブロック２０の長溝２１と底板３０のねじ部３３とを位置合わせする。
次に、支持ボルト３２を長溝２１を介してねじ部３３に螺着する。
【００２７】
このように底部が開放された側溝ブロック２０に対して、底板３０は、その支持手段である支持ボルト３２を使って上下方向の一定動きの自由度を有するように内接支持され、これにより側溝ブロック２０および底板３０が一体化される。
【００２８】
（底板傾斜設定工程）
つぎに、一体化された側溝形成ブロック体１０は、底板３０の傾斜が調整される。
すなわち、図８のように一方の支持ボルト３２にワイヤを掛け、底板３０の一端側を吊り上げておき、排水勾配に合わせて底板３０が傾斜するように傾斜調整手段である支え調整ボルト３４の突出長さを調整する。
この支え調整ボルト３４の調整においては、バール、ジヤッキあるいは人力により底板ブロックを一旦、浮かせ、この隙間に作業スペースを保持しておくための木片やコンクリート片等を挿入し、このように高さを確保した上で、支え調整ボルト３４を規定の長さに調整することも可能である。
このようにして側溝形成ブロック体１０は、それを設置現場に設置する前に予め底板３０の傾斜が設定されるのである。
なお、側溝形成ブロック体１０を水平に設置する場合には、すべての支え調整ボルト３４の突出長さを均等に調整することはいうまでもない。
【００２９】
（搬送静置工程）
つぎに、底板の傾斜を設定した後は、図９のように側溝形成ブロック体１０をワイヤＷ等で垂架して別の設置場所まで搬送する。
そして側溝形成ブロック体１０を、その設置場所に静置する。
底板３０は、支持ボルト３２が長溝２１を介して上下方向の自由度を有しているため、側溝形成ブロック体１０を基礎コンクリート２上に静置するだけで、所定の設定勾配（すなわち、底板傾斜設定工程で調整された勾配）で据え付けられる（図１０）。
【００３０】
（底板下固化工程）
つぎに、図１０のように据付完了後、底板３０の開口部３１を介してセメントミルク３を流し込む。
具体的には、セメントは底板３０の上面と面一になるまで充填される。
セメントが固化することで底板３０が基礎コンクリートに対して安定的に固定される（図１参照）。
なお、止水をより確実にするため、長溝２１を埋める作業を行うことが好ましい。
【００３１】
以上のように、図１８のフロチャートに示すごとく、〔一体化工程〕→〔底板傾斜設定工程〕→〔搬送静置工程〕→〔底板下固化工程〕と一連の工程を遂行することにより水路が構築される。
また隣接する側溝形成ブロック体１０を順次据え付けていくことにより、所望の距離において水路が連続的に構築される。
この場合、隣同士の側溝ブロック２０の凸部２２と凹部２３を嵌合させることにより、複数の側溝ブロック２０を全く位置ずれすることなく、ぴったりと連設することができる。
【００３２】
図１１及び図１２は、本発明の水路構築方法により構築された連続した水路の側面図及び斜視図を示す。
側溝ブロック２０および底板３０を一体化した側溝形成ブロック体１０を順次据え付けていくことで、極めて効率よく、しかも適正勾配で水路を構築することができる。
この方法は、前もって底板３０の傾斜を確保しておき、そのまま設置現場へと搬送静置するため、設置現場での作業が極めてシンプル化され効率的となる。
【００３３】
〔水路構築方法２〕
以上の水路構築方法は、設置場所とは異なった別の場所にて傾斜の調整を行うものであるが、ここでの水路を構築する方法は、傾斜の調整を最終の設置場所にて行う方法である。
使用する側溝形成ブロック体１０は、前述したような構成を有するもので可能である。
【００３４】
（一体化工程）
地盤に掘削された溝条の中に側溝形成ブロック体１０を設置する場合は、まず側溝ブロック２０と底板３０が設置場所とは別の作業場所で一体的に取り付けられる。
具体的には、図７に示すように底板３０を作業場所に置いておき、ワイヤＷ等で垂架された側溝ブロック２０を底板３０の上方に位置させる。
そして側溝ブロック２０の長溝２１と底板３０のねじ部３３とを位置合わせして、ねじ部３３に長溝２１を介して支持ボルト３２を螺着する。
【００３５】
このように底部が開放された側溝ブロック２０に対して、底板３０は、その支持手段である支持ボルト３２を使って上下方向の自由度を有するように内接支持され、これにより側溝ブロック２０および底板３０が一体化される。
【００３６】
（搬送静置工程）
つぎに、図１３のように側溝形成ブロック体１０をワイヤＷ等で垂架して設置場所まで搬送する。
そして側溝形成ブロック体１０を設置場所に静置する。
【００３７】
（底板傾斜設定工程）
つぎに、図１４のように一方の支持ボルト３２にワイヤＷを掛け、底板３０の一端側を吊り上げておき、排水勾配に合わせて底板３０が傾斜するように傾斜調整手段である支え調整ボルト３４の突出長さを調整する。
この支え調整ボルト３４の調整においては、バール、ジヤッキあるいは人力により底板ブロックを一旦、浮かせ、この隙間に作業スペースを保持しておくための木片やコンクリート片等を挿入し、このように高さを確保した上で、支え調整ボルト３４を規定の長さに調整することも可能である。
そして、この場合は、調整が終わった後は、高さを確保するために用いた木片やコンクリート片を取り除くことになる。
底板３０は、支持ボルト３２と長溝２１とにより上下方向の自由度を有しているため、基礎コンクリート２上に所定の傾斜で据え付けられる。
【００３８】
（底板下固化工程）
つぎに、図１４のように据付完了後、底板３０の開口部３１を介してセメントミルク３を流し込む。
セメントが固化することで底板３０が基礎コンクリートに対して安定的に固定される。
以上のように、図１９のフローチャートに示すごとく、（一体化工程）→（搬送静置工程）→（底板傾斜設定工程）→（底板下固化工程）と一連の工程を遂行することにより水路が構築される。
【００３９】
〔水路構築方法３〕
この方法は、突出長さの調整用の支え調整ボルト３４を使用しないで傾斜させる方法である。
前記〔水路構築方法２〕において、傾斜調整手段である支え調整ボルト３４を利用しない方法である。
側溝形成ブロック体１０は、前述したような構成を有するもので可能であるが、その支え調整ボルト３４を最短に押し込んでおくとよい。
【００４０】
すなわち、側溝ブロック２０と底板３０とを一体化した後（一体化工程）、側溝形成ブロック体１０を設置場所に静置する際、前もって図１５に示す如く、設置場所の所定位置に傾斜支持手段である支持ブロック３６を設けておく。
この支持ブロック３５は、設定された排水勾配に合わせて底板３０が傾斜するような高さを有するものを用い、図示例のように底板３０の端部側に位置するように配置される。
【００４１】
図１６に示すように、側溝形成ブロック体１０を設置場所に上方から静置すると、底板３０は、支持ボルト３２と長溝２１により、上下方向移動の自由度を有しているため、側溝形成ブロック体１０が基礎コンクリート２に載置されることにより、支持ボルト３２に支持され、所定の設定勾配が形成される。
すなわち、側溝形成ブロック体１０を上方からの静置するのとほぼ同時に傾斜状に据え付けられる（搬送静置同時傾斜設定工程）。
つぎに、図１６のように据付完了後、底板３０の開口部３１を介してセメントミルク３を流し込む。
セメントが固化することで底板３０が基礎コンクリートに対して安定的に固定される（底板下固化工程）（図１７）。
【００４２】
以上のように、図２０のフローチャートに示すごとく、〔一体化工程〕→〔搬送静置同時傾斜設定工程〕→〔底板下固化工程〕となる。
この方法では、支持ブロック３６を底板３０の下に噛ませて傾斜形成するため、種々の寸法のものを用意しておき、その中から選択して使用することになる。前述の水路を構築する方法２とは異なって、支え調整ボルト３４の長さの調整を必要しないため調整が簡単である。
【００４３】
以上、本発明を説明してきたが、本発明は実施形態にのみ限定されるものではなく、その本質から逸脱しない範囲で、他の色々な変形例が可能であることは言うまでもない。
例えば、底板３０は浅いＶ字状断面形状のものや、あるいは凹状断面形状のものであってもよい。
また底板３０の開口部３１は、いずれかの端部側へ偏倚して１つあるいは２つ設けてもよい。
【００４４】
【発明の効果】
以上説明したように本発明によれば、この種の水路を構築する場合側溝ブロックと底板を一体的に構成することで、搬送が極めて容易となる。
また地盤上に極めて簡単且つ容易に設置することができる上、側溝ブロックに内接支持される底板の勾配が調整可能になっていることで、簡単且つ的確に排水勾配に合わせて設置することができる。
これにより極めて効率よく、しかも的確に勾配のある水路を構築することができる等の利点を有している。
【図面の簡単な説明】
【図１】図１は、本発明方法に用いる側溝形成ブロック体の施工後の状態を示す正面図および側面図である。
【図２】図２は、本発明の実施形態に係る側溝ブロックを示す正面図および側面図である。
【図３】図３は、本発明の実施形態に係る側溝ブロックを示す上面図および底面図である。
【図４】図４は、本発明の実施形態に係る底板を示す平面図、側面図、底面図および断面図である。
【図５】図５は、本発明の実施形態に係る底板の断面図であり、（Ａ）及び（Ｂ）は、それぞれ異なった、ネジ部と支持ボルトとの関係を示す。
【図６】図６は、本発明の実施形態に係る調整ボルトを示す部分断面図である。
【図７】図７は、本発明の実施形態における水路構築方法の手順（一体化工程）を示す正面及び側面の図である。
【図８】図８は、本発明の実施形態における水路構築方法の手順（底板傾斜設定工程）を示す正面及び側面の図である。
【図９】図９は、本発明の実施形態における水路構築方法の手順（搬送静置工程）を示す正面及び側面の図である。
【図１０】図１０は、本発明の実施形態における水路構築方法の手順（搬送静置工程）を示す正面及び側面の図である。
【図１１】図１１は、本発明の実施形態における側溝形成ブロック体を用いて構築された連続する水路の例（側面図）を示す図である。
【図１２】図１２は、本発明の実施形態における側溝形成ブロック体を用いて構築された連続する水路の例（斜視図）を示す図である。
【図１３】図１３は、本発明の他の実施形態における水路構築方法の手順（搬送静置工程）を示す正面及び側面の図である。
【図１４】図１４は、本発明の他の実施形態における水路構築方法の手順（底板傾斜設定工程）を示す正面及び側面の図である。
【図１５】図１５は、本発明の別の他の実施の形態における水路構築方法の手順を示す正面及び側面の図である。
【図１６】図１６は、本発明の別の他の実施の形態における水路構築方法の手順（搬送静置同時傾斜設定工程）を示す正面及び側面の図である。
【図１７】図１７は、本発明の別の他の実施の形態における水路構築方法の手順（底板下固化工程）を示す正面及び側面の図である。
【図１８】図１８は、本発明の水路構築方法のフローチャートを示す図である。
【図１９】図１９は、本発明の他の実施形態における水路構築方法のフローチャートを示す図である。
【図２０】図２０は、本発明の別の他の実施形態における水路構築方法のフローチャートを示す図である。
【符号の説明】
１…基礎材
２…基礎コンクリート
３…セメントミルク
１０…側溝形成ブロック体
２０…側溝ブロック
２１…長溝
２２…凸部
２３…凹部
２４…蓋穴
３０…底板
３１…開口部
３２…支持ボルト
３３…ねじ部（又は無ねじ部）
３４…支え調整ボルト
３５…ねじ部
３６…支持ブロック
Ｗ…ワイヤー
【図１】
0004151929.tif 000002
【図２】
0004151929.tif 000003
【図３】
0004151929.tif 000004
【図４】
0004151929.tif 000005
【図５】
0004151929.tif 000006
【図６】
0004151929.tif 000007
【図７】
0004151929.tif 000008
【図８】
0004151929.tif 000009
【図９】
0004151929.tif 000010
【図１０】
0004151929.tif 000011
【図１１】
0004151929.tif 000012
【図１２】
0004151929.tif 000013
【図１３】
0004151929.tif 000014
【図１４】
0004151929.tif 000015
【図１５】
0004151929.tif 000016
【図１６】
0004151929.tif 000017
【図１７】
0004151929.tif 000018
【図１８】
0004151929.tif 000019
【図１９】
0004151929.tif 000020
【図２０】
0004151929.tif 000021